(57)【特許請求の範囲】
【請求項１】
経編機を用いて編成され、経方向に並列して延びる鎖編目列と、コース方向に１〜２列離れた上記鎖編目列間でジグザグ状に横に振って挿入される柄糸よりなり、前記並列して延びる鎖編目列は綿糸により編成されている一方、挿入柄糸にはアクリル繊維糸を芯糸とし、ナイロンをループ形成用飾り糸とし、ポリエステル繊維糸を押え糸とする意匠撚糸が使用されている編地からなることを特徴とする浴用ボディタオル。
【請求項２】
経糸の綿糸が１６番手単糸〜３４番手単糸である請求項１記載の浴用ボディタオル。
【請求項３】
柄糸の意匠撚糸が芯糸にアクリル紡績糸３４番手単糸，ループ形成用飾り糸にナイロン３００Ｄ／１５ｆの仮撚加工糸の２本引揃え、押え糸にポリエステル糸７５Ｄを用いた意匠撚糸である請求項１または２記載の浴用ボディタオル。
【請求項４】
意匠撚糸の飾り糸が少なくとも２種の大きさの異なるループを形成する請求項１，２または３記載の浴用ボディタオル。
【発明の詳細な説明】
【技術分野】
【０００１】
本発明は浴用ボディタオルに関し、詳しくは泡立ち性，泡もち性，泡切れ性，乾燥性に優れ、皮膚に優しく、触感においては全く新規な柔らかさを持った浴用ボディタオルに関する。
【背景技術】
【０００２】
従来より浴用のボディタオルとして綿の紡績糸１００％のループパイルを表面に形成させたものが多く使用されている。しかしながら、この素材は吸水性に優れるが、繰り返し使用による強度低下や乾燥性，泡立ち性に劣るという欠点がある。そのため合成繊維、例えばポリエステルやナイロン使いのメッシュ編地などが開発されており、泡立ち性，泡切れ性には優れるが、皮膚刺激性が強くて肌を傷めるという欠点があり、ボディタオルとして満足のいくものではなかった。
【０００３】
そこで近年、綿糸使いであっても糸使いを工夫して泡立ち性を向上させたり、また綿糸（吸水性）と合成繊維（泡立ち性）の良さを併せもった複合素材のボディタオルが提案されている。
【０００４】
例えば天然繊維布生地の緯糸に意匠撚糸を織り込むもの（例えば特許文献１参照）、片面に天然繊維、他面に化学繊維で編成した２層構造の編物（例えば特許文献２参照）、天然繊維と合成繊維の３層構造のメッシュ編構造（例えば特許文献３参照）などが提案されている。
【特許文献１】特開２００２−１９１５２７号公報
【特許文献２】特開２０００−２７１０３６号公報
【特許文献３】特開２００２−１５３３９６号公報  しかしながら、上記天然繊維布生地の緯糸に意匠撚糸を織り込んだものは、綿糸の織物に太い意匠撚糸と細い意匠撚糸を挿入して柔軟性と泡立ち性の両面を謳っているが、マッサージ効果に主眼があり風合いに疑問がある。また、天然繊維と合成繊維の表裏２層構造の編物は表裏構造で使用者に任意の面を選ばせるものであり、泡立ち性と触感性を同時に体験できるものではない。さらに３層のメッシュ編構造のものは、これらの３層が機能するには種々の制約があり、製法においても複雑である。
【発明の開示】
【発明が解決しようとする課題】
【０００５】
本発明者は上述の如き実状に鑑み、特に洗浄と泡の関係について考察を進め、身体の汚れ（油分など）は泡に吸着させて汚れを取ることからキメ細かい泡が多量な程、汚れ吸着の面積が広がり、洗浄性がよくなることを知見した。
【０００６】
本発明は上記知見に基づき特に泡立ち性を重要視し、ボディタオルの泡立ち性の良否の因子が繊維の細かな空隙部の量の多少にあることに着目し、特異な意匠撚糸の使用を見出すことにより泡立ち性が良く、併せて皮膚に優しく従来品にない触感を同時に達成する新規なボディタオルを提供することを目的とするものである。
【課題を解決するための手段】
【０００７】
即ち、上記目的に適合する本発明浴用ボディタオルは、経編機を用いて編成され、経方向に並列して延びる鎖編目列と、コース方向に１〜２列離れた鎖編目列間でジグザグ状に横に振って挿入される柄糸により構成される編地であって、該編地の前記並列して延びる鎖編目列が綿糸により編成されると共に、挿入柄糸がアクリル繊維糸を芯糸とし、ナイロンをループ形成用飾り糸とし、ポリエステル繊維糸を押え糸とする意匠撚糸が使用されていることを特徴とする。
【０００８】
請求項２は上記浴用ボディタオルに使用される経糸の綿糸としては１６／１（１６番手単糸）〜３４／１（３４番手単糸）が好ましいこと、更に請求項３は同じくボディタオルに使用される柄糸の意匠撚糸は芯糸にアクリル紡績糸３４／１、ループ形成用飾り糸にナイロン３００Ｄ／１５ｆの仮撚加工糸を２本引揃え、押え糸にポリエステルフィラメント７５Ｄを用いた意匠撚糸が好ましいことを夫々特徴としている。なお、意匠撚糸は請求項４のように芯糸を中心として飾り糸により少なくとも大小２種類のループが形成されていることが好適である。
【０００９】
しかして、上記本発明において、意匠撚糸は芯糸を中心に根元部に大小２種類のループを形成して飾り糸であるナイロンをゆるく巻いているため、ボディタオル使用時にループが上下運動して、細やかな空隙層を生み出し、泡立ち性，泡持ち性に寄与し、かつ弾力性に寄与する。
【００１０】
また、各素材の組み合わせについて、経糸の綿糸は吸水性や柔軟性，意匠撚糸の芯糸のアクリル糸は柔軟性や乾燥性、ループ形成用飾り糸のナイロンと押え糸のポリエステル糸は、泡立ち性，泡切れ性，乾燥性に夫々、寄与している。
【００１１】
更にラッシェル編機の如き経編機で編成した編地は、通常、表裏の外観が異なるが、本発明は意匠撚糸を挿入する際、４〜６ゲージで、好ましくは４．５ゲージ／インチで編立てることにより表面と裏面は同じ構造のリバーシブルに編成できるため美観的にも、また取扱い性もよい。
【発明の効果】
【００１２】
本発明の浴用ボディタオルは、経編地の柄糸にアクリル紡績糸を芯とし、ナイロンをループ形成用飾り糸とし、ポリエステルを押え糸とする意匠撚糸を用いているので空気の空隙性が大きく、泡立ち性，泡持ち性，肌触りに優れ、表面の形態も美しく斬新な風合いである。また、編成時の工夫で表面，裏面の区別は殆どなく、リバーシブルで使用し易く、綿１００％素材の浴用タオルに比べればアクリル，ナイロン，エステル混用であるため全体に軽量で乾燥性，寸法安定性にも優れている。
【発明を実施するための最良の形態】
【００１３】
以下、更に添付図面を参照し本発明の具体的な実施の形態を説明する。
【００１４】
図１は本発明に係る浴用ボディタオルの外観概要図で、図２は同タオルの部分拡大組織図、図３は使用する意匠撚糸の構造を示す図である。
【００１５】
図示する本発明ボディタオルは経編機を用いて編成された経編地によって構成されている。経編機は既知の経編機が随時、使用可能であるが、実用的にはラッシェル機が最も好適であり、一般に用いられる。
【００１６】
図２に示すタオル組織は上記ラッシェル機によって編成された組織の１例であり、ウエール方向に並列されて多数の鎖編目列ａからなる地組織が経糸１によって形成されると共に、該鎖編目列において図では隣接する鎖編目列ａの編目間にわたって２〜３ウエール飛びでジグザグ状に横に振って柄糸２が挿入されている。この柄糸２の挿入は、隣接する鎖編目列間のみでなく、1列以上離れた鎖編目列間にわたって横振りさせてもよく、また両者を組み合わせても良い。
【００１７】
ここで上記ウエール方向に並列して延びる鎖編目列よりなる地組織を形成する経糸１には特に綿糸が用いられ、一方、並列する鎖編目列間で横振り挿入される柄糸２には本発明の特徴として後述の意匠撚糸が用いられる。
【００１８】
地組織を形成する経糸１の綿糸の太さとしてはボディタオルに適するものであれば適宜、使用可能であるが、実用的には１６番手単糸（１６／１）〜３４番手単糸（３４／１）位が好適であり、一般に使用される。
【００１９】
また、柄糸２に用いる意匠撚糸はアクリル，ナイロン，ポリエステルの如き合成繊維糸の組み合わせによって作られ、図３に示す芯糸２ａにアクリル紡績糸３４／１、ループを形成する飾り糸２ｂにナイロン３００Ｄ／１５ｆの仮撚加工糸の２本引揃え、押え糸２ｃにポリエステル糸７５Ｄを配し、既知の意匠撚糸装置によって芯糸１のまわりにループをもつ意匠撚糸として作成されたものが用いられる。
【００２０】
なお、上記意匠撚糸を製造する際は、通常、供給速度１５ｍ／分で行ない、大小２種のループを形成することも可能であり、かつ好適である。
【００２１】
勿論、各使用する芯糸２ａ，飾り糸２ｂ，押え糸２ｃの太さは上記例示のものに限らず、必要に応じて変更可能であることは云うまでもない。
【００２２】
また、編成時に異なった色の綿糸を適宜、例えば５本おきなどに使用することも好ましく意匠性のあるボディタオルに仕上がり、頗る有用である。
【００２３】
そして上記経編機により編成されたループ形成用飾り糸を有する意匠撚糸が挿入された経編地は、これを浴用ボディタオルの用途に合わせてふさわしい大きさ、例えば幅２０〜２５ｃｍ，長さ８５〜９５ｃｍなどに自動裁断縫製することにより本発明における浴用ボディタオルを作成することができる。
【００２４】
次に本発明の具体的実施例を示す。
【実施例】
【００２５】
ラッシェル経編機を使用し、経糸に綿糸３４／１、柄糸に意匠撚糸を用いて地組織４．５ゲージ／インチ，２本振りの編地を作成した。意匠撚糸は芯糸にアクリル紡績糸３４／１，ループ形成用飾り糸にナイロン３００Ｄ／１５ｆの仮撚加工糸２本引揃え、押え糸にポリエステル糸７５Ｄを使用し供給速度１５ｍ／分で大小２種のループをもつ意匠撚糸として作成し使用した。得られた経編地はこれを幅２５ｃｍ，長さ９５ｃｍに裁断縫製し、浴用ボディタオルとした。
【００２６】
この浴用ボディタオルは使用したところ、キメ細かい泡が多量に得られ、泡立ち性，泡もち性がよく、洗浄性が極めて良好であると同時に肌を傷つけることなく、肌触りも頗る快適であった。
【図面の簡単な説明】
【００２７】
【図１】本発明浴用ボディタオルの１例を示す外観概要図である。
【図２】上記タオルの部分拡大図である。
【図３】上記タオルに使用する意匠撚糸の一部拡大図である。
【符号の説明】
【００２８】
Ｔ：浴用ボディタオル
ａ：鎖編目列
１：経糸
２：柄糸
２ａ：芯糸
２ｂ：ループ形成用飾り糸
２ｃ：押え糸
【図１】
0004427018.tif 000002
【図２】
0004427018.tif 000003
【図３】
0004427018.tif 000004